【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
第１の主表面及び第２の主表面を有する内側板ガラスであって、前記内側板ガラスの前記第２の主表面からの可視光反射（光源Ｄ６５、１０度の観察者）が７．６％以下である、内側板ガラスと、
前記内側板ガラスと平行な関係にある外側板ガラスと、
前記内側板ガラスと前記外側板ガラスとの間に設けられた１つまたは複数の発光ダイオードと、
前記内側板ガラスと前記外側板ガラスとの間に設けられた少なくとも１つ（第１）の中間層であって、前記１つまたは複数の発光ダイオードを封入している、第１の中間層とを含む、発光ダイオードディスプレイ。
【請求項２】
導電性コーティングが、前記内側板ガラスの前記第１の主表面上に形成され、前記１つまたは複数の発光ダイオードのうちの少なくとも１つ（第１）が、前記導電性コーティング上に設けられ、前記第１の発光ダイオードが前記導電性コーティングと電気的に導通している、請求項１に記載の発光ダイオードディスプレイ。
【請求項３】
前記導電性コーティングが前記内側板ガラスの前記第１の主表面と直接接触している、請求項２に記載の発光ダイオードディスプレイ。
【請求項４】
前記導電性コーティングが少なくとも１つのトラックの形をしており、及び／または、
前記導電性コーティングが、１つまたは複数（第１及び第２）の電気的に絶縁された領域に分割され、前記第１の発光ダイオードが、前記導電性コーティングの前記第１及び第２の領域と電気的に導通している、請求項２または請求項３に記載の発光ダイオードディスプレイ。
【請求項５】
前記導電性コーティングが可視光に対して透明である、請求項２〜４のいずれか１項に記載の発光ダイオードディスプレイ。
【請求項６】
導電性コーティングがキャリアプライ上に形成され、前記１つまたは複数の発光ダイオードのうちの少なくとも１つ（第１）が前記キャリアプライ上の前記導電性コーティングの上に設けられ、前記第１の発光ダイオードが前記キャリアプライ上の前記導電性コーティングと電気的に導通している、請求項１に記載の発光ダイオードディスプレイ。
【請求項７】
前記キャリアプライ上の前記導電性コーティングが、少なくとも１つのトラックの形をしており、及び／または、
前記キャリアプライ上の前記導電性コーティングが、１つまたは複数（第１及び第２）の電気的に絶縁された領域に分割され、前記第１の発光ダイオードが、前記キャリアプライ上の前記導電性コーティングの前記第１及び第２の領域と電気的に導通している、請求項６に記載の発光ダイオードディスプレイ。
【請求項８】
第２の中間層をさらに含み、前記キャリアプライが前記第１の中間層と第２の中間層との間にあり、前記第２の中間層が前記キャリアプライと前記内側板ガラスとの間にある、請求項６または請求項７に記載の発光ダイオードディスプレイ。
【請求項９】
前記１つまたは複数の発光ダイオードのうちの少なくとも１つが、前記導電性コーティング上に直接設けられており、及び／または、
前記導電性コーティングが、フッ素ドープ酸化錫またはアンチモンドープ酸化錫を含み、かつ５〜５０オーム／スクエアのシート抵抗値を有する、請求項２〜８のいずれか１項に記載の発光ダイオードディスプレイ。
【請求項１０】
前記内側板ガラスの前記第２の主表面からの可視光反射（光源Ｄ６５、１０度の観察者）が、７．０％以下であり、及び／または、
前記ディスプレイを透過した前記光の色（光源Ｄ６５、１０度の観察者）が、６〜−６の範囲のａ＊値、及び６〜−６の範囲のｂ＊値を有する、請求項１〜９のいずれか１項に記載の発光ダイオードディスプレイ。
【請求項１１】
前記外側板ガラスが、透明であり、ＣＩＥＬＡＢカラースケールシステム（光源Ｄ６５、１０度の観察者）において、−２〜２の範囲のａ＊値、及び−２〜２の範囲のｂ＊値を有し、及び／または、
前記内側板ガラスが、灰色のものであり、１．２〜２．０重量％のＦｅ２Ｏ３（全鉄）を含む、請求項１〜１０のいずれか１項に記載の発光ダイオードディスプレイ。
【請求項１２】
前記内側板ガラスが、３９〜４８％または５５〜６５％の可視光透過率（光源Ｄ６５、１０度の観察者）を有する、請求項１〜１１のいずれか１項に記載の発光ダイオードディスプレイ。
【請求項１３】
前記内側板ガラスが、灰青色のものであり、ＣＩＥＬＡＢカラースケールシステム（光源Ｄ６５、１０度の観察者）において、−４〜−２の範囲のａ＊値、及び−９〜−５の範囲のｂ＊値を有する、請求項１〜１２のいずれか１項に記載の発光ダイオードディスプレイ。
【請求項１４】
前記外側板ガラスの前記第１の主表面上に形成された反射防止コーティングをさらに含む、請求項１〜１３のいずれか１項に記載の発光ダイオードディスプレイ。
【請求項１５】
前記反射防止コーティングが、酸化錫または二酸化チタンの少なくとも１つの層及び二酸化ケイ素の少なくとも１つの層を含む、請求項１４に記載の発光ダイオードディスプレイ。
【請求項１６】
前記反射防止コーティングが、中間色であり、前記外側板ガラスの前記第１の主表面に面する側から測定された可視光反射（光源Ｄ６５、１０度の観察者）が５．０％以下である、請求項１４または請求項１５に記載の発光ダイオードディスプレイ。
【請求項１７】
第１の主表面を有する内側板ガラスと、
前記内側板ガラスと平行な関係にある外側板ガラスと、
前記外側板ガラスの第１の主表面上に形成された反射防止コーティングであって、前記外側板ガラスの前記第１の主表面に面する側から測定された可視光反射が、前記内側板ガラスの第２の主表面からの可視光反射よりも小さい、反射防止コーティングと、
前記反射防止コーティングから離間された導電性コーティングと、
前記内側板ガラスと前記外側板ガラスとの間に設けられた１つまたは複数の発光ダイオードであって、前記導電性コーティングと電気的に導通している、１つまたは複数の発光ダイオードと、
前記内側板ガラスと前記外側板ガラスとの間に設けられた少なくとも１つ（第１）の中間層であって、前記１つまたは複数の発光ダイオードを封入している、第１の中間層とを含む、発光ダイオードディスプレイ。
【請求項１８】
前記導電性コーティングが、前記内側板ガラスの前記第１の主表面上に形成されており、または、
前記導電性コーティングが、キャリアプライ上に形成されている、請求項１７に記載の発光ダイオードディスプレイ。
【請求項１９】
前記導電性コーティングが、キャリアプライ上に形成され、
前記キャリアプライが前記第１の中間層と第２の中間層との間にある、請求項１７に記載の発光ダイオードディスプレイ。
【請求項２０】
外側板ガラスの前記第１の主表面に面する前記側から測定された前記可視光反射が、前記内側板ガラスの前記第２の主表面からの前記可視光反射より少なくとも０．５％小さく、及び／または、
前記内側板ガラスが灰色または灰青色であり、かつ前記ディスプレイを透過した前記可視光が、ＣＩＥＬＡＢカラースケールシステム（光源Ｄ６５、１０度の観察者）において、６〜−６の範囲のａ＊値、及び６〜−６の範囲のｂ＊値を有する、請求項１７〜１９のいずれか１項に記載の発光ダイオードディスプレイ。
【請求項２１】
内側板ガラスと、
前記内側板ガラスと平行な関係にある外側板ガラスと、
前記内側板ガラスの第１の主表面上に形成された導電性コーティングであって、アンチモンドープ酸化錫層を含み、かつ５〜５０オーム／スクエアのシート抵抗値を有する、導電性コーティングと、
前記内側板ガラスと前記外側板ガラスとの間に設けられた１つまたは複数の発光ダイオードと、
前記内側板ガラスと前記外側板ガラスとの間に設けられた少なくとも１つ（第１）の中間層であって、前記１つまたは複数の発光ダイオードを封入している、第１の中間層とを含む、発光ダイオードディスプレイ。
【請求項２２】
前記１つまたは複数の発光ダイオードが、前記内側板ガラスの前記第１の主表面上の前記導電性コーティングと電気的に導通しており、または、
前記１つまたは複数の発光ダイオードがキャリアプライ上に搭載され、前記キャリアプライには、前記１つまたは複数の発光ダイオードのうちの少なくとも１つに電力を供給するための導電性コーティングが設けられており、または、
前記１つまたは複数の発光ダイオードがキャリアプライ上に搭載され、前記キャリアプライには、前記１つまたは複数の発光ダイオードのうちの少なくとも１つに電力を供給するための導電性コーティングが設けられており、前記キャリアプライが、前記第１の中間層と第２の中間層との間にある、請求項２１に記載の発光ダイオードディスプレイ。
【請求項２３】
請求項１〜２２のいずれか１項に記載の発光ダイオードディスプレイを含む絶縁ガラスユニットであって、前記発光ダイオードディスプ
レイが、１つまたは複数の板ガラスと平行で離間した関係で配向されている、絶縁ガラスユニット。